(57)【要約】【課題】貼り着けたら開くブックレット部を有するラベルを提供する。【解決手段】複数シート１１ａ〜１１ｅからなる冊子状のブックレット部１２を有し商品Ｓに取り付けられるブックレットラベル１０であって、接着層１３と糊殺し層１４とを有し、ブックレット部の小口１２ａ側には、セパレータ１３に仮着されるとともにセパレータから外すとブックレット部が開き内側に印刷された表示情報を視認可能とする仮着糊殺し領域が設けられる。【選択図】図１
2019109309.tif 000002
【特許請求の範囲】
【請求項１】
複数シートからなる冊子状のブックレット部を有し商品に取り付けられるブックレットラベルであって、
前記ブックレット部を前記商品に取り付け可能とする取り付け部が設けられ、
前記ブックレット部の小口側には、セパレータに仮着されるとともに該セパレータから外すと前記ブックレット部が開き内側に印刷された表示情報を視認可能とする仮着糊殺し領域が設けられることを特徴とするブックレットラベル。
【請求項２】
前記取り付け部として前記商品に貼り着ける接着層が設けられ、
前記セパレータに仮着されているときは前記ブックレット部が開かず、前記商品に貼り着けられたときは前記ブックレット部が開き内側に印刷された表示情報を視認可能とされていることを特徴とする請求項１記載のブックレットラベル。
【請求項３】
前記ブックレット部の最表面シートを前記セパレータ側に仮着して、前記セパレータに仮着されているときは前記ブックレット部が開かない状態を維持可能であるとともに、前記セパレータから剥がされた際に接着性をもたないように接着層に糊殺し層が積層された仮着糊殺し領域が設けられることを特徴とする請求項２記載のブックレットラベル。
【請求項４】
前記ブックレット部の裏面シートの小口側には切断線で切り取られる切片が設けられ、
前記切片裏面には前記仮着糊殺し領域が設けられ、前記切片表面側が前記ブックレット部の最表面シートに接続され、
前記切片が前記セパレータから外れると前記ブックレット部が開き内側に印刷された表示情報を視認可能とされることを特徴とする請求項２または３記載のブックレットラベル。
【請求項５】
長尺の前記セパレータから外す際に、前記接着層が前記商品に貼りついた後に前記仮着糊殺し領域が剥がれる位置として、前記セパレータに貼り着けられていることを特徴とする請求項２から４のいずれか記載のブックレットラベル。
【発明の詳細な説明】
【技術分野】
【０００１】
本発明は複数シートからなる冊子状のブックレットラベルに関し、特に展示商品に貼り着けられた状態で冊子部分の中味を回覧可能なブックレットラベルを容易に製造してこれを貼り着ける際に用いて好適な技術に関する。
【背景技術】
【０００２】
従来から、各種商品や商品を包装する容器に貼着して使用する多量の商品情報を表示可能なラベルとして、特許文献1に記載されるように、冊子状の情報表示部分を有し、ミシン目によって封止されているこの冊子部分を、ミシン目から分切り離して開封することで内部の表示情報を視認可能なブックレットラベルが知られている。
【先行技術文献】
【特許文献】
【０００３】
【特許文献１】特許第４３６５５９７号公報
【０００４】
このようなブックレットにおいては、例えば貼り着けられる商品に対する説明など、枚葉のラベルでは印刷表示しきれない程度、ある程度の分量のある表示情報を印刷することがある。
【０００５】
また、このようなブックレットを製造する際においては、長尺のシートを多数のロール等を用いて印刷、塗布、貼り着け、切断、切り抜き等の加工を施し、最終的に長尺のセパレータにブックレットを多数貼り着けた状態に形成されて、これを例えばロール状に巻回した状態などにして保管していた。
【発明の概要】
【発明が解決しようとする課題】
【０００６】
店頭などにおいて、購入者等が商品の購入を吟味している間に、手軽にブックレットラベルに印刷されている情報を参照（視認）できるように、ブックレットラベルを商品に貼り着ける際、冊子部分（ブックレット部分）が封止されていない状態、つまり、自由に回覧できるように開封された状態として、このブックレットラベルを貼り着けたいという要求があった。
【０００７】
しかし、ミシン目によって開封するタイプであると、購入者は即座に情報を見ることができないという問題がある。あるいは、貼り着けた後で、ミシン目を開封する工程が必要となってします。
【０００８】
また、ブックレットラベルを商品に貼り着けるより前、つまり、商品への貼り着け工程、および、それ以前の製造工程においては、ブックレット部分が封止されていない状態では予期せず開いてしまうことがあるため、ロール状などの保管時、あるいは、製造装置等のロールなどに挟まれて、シワが形成される可能性や、あるいは、印刷、貼り着け、切断、切り抜きなどが所定の位置・形状としておこなわれずに不良品となってしまう可能性があり、これを防止したいという要求があった。
【０００９】
また、ブックレット部分が封止されていない状態でも、販売員や作業員が手作業でブックレットラベルを商品に貼り付けをおこなうことは可能であるが、ラベラーによる自動機械貼りを可能にしたいという要求もあった。
【００１０】
さらに、ブックレットラベルを商品に貼り着けるより前にはセパレータに貼り着けてブックレット部分を封止した状態を維持するために、ブックレット部分の小口側に糊付け等を施して封止しておき、商品に貼り付ける際にこれが離間するような構造が考えられるが、この構造であると、糊付け部分が粘着性を有しているため、ブックレット部分を開封した場合に、手指に貼りついてしまうという不具合を有するためこの状態は回避したいという要求もあった。
【００１１】
本発明は、上記の事情に鑑みてなされたもので、以下の目的を達成しようとするものである。
１．ブックレット部分が封止されていない状態でブックレットラベルを商品に貼り着け可能とすること。
２．同時に、ブックレットラベルを商品に貼り着けるまでは、セパレータに貼り着けてブックレット部分を封止した状態を維持すること。
３．ブックレット部分の表示情報を視認する際に、手指に粘着材等がつかないようにすること。
４．ブックレット部がめくれたり、シワがよったりしないように製造可能とすること。
５．自動貼り着け機（ラベラー）での貼り付けを可能とすること。
【課題を解決するための手段】
【００１２】
本発明のブックレットラベルは、複数シートからなる冊子状のブックレット部を有し商品に取り付けられるブックレットラベルであって、
前記ブックレット部を前記商品に取り付け可能とする取り付け部が設けられ、
前記ブックレット部の小口側には、セパレータに仮着されるとともに該セパレータから外すと前記ブックレット部が開き内側に印刷された表示情報を視認可能とする仮着糊殺し領域が設けられることにより上記課題を解決した。
本発明において、前記取り付け部として前記商品に貼り着ける接着層が設けられ、
前記セパレータに仮着されているときは前記ブックレット部が開かず、前記商品に貼り着けられたときは前記ブックレット部が開き内側に印刷された表示情報を視認可能とされていることがより好ましい。
本発明において、前記ブックレット部の最表面シートを前記セパレータ側に仮着して、前記セパレータに仮着されているときは前記ブックレット部が開かない状態を維持可能であるとともに、前記セパレータから剥がされた際に接着性をもたないように接着層に糊殺し層が積層された仮着糊殺し領域が設けられることが可能である。
また、本発明において、前記ブックレット部の裏面シートの小口側位置には切断線で切り取られる切片が設けられ、
前記切片裏面には前記仮着糊殺し領域が設けられ、前記切片表面側が前記ブックレット部の最表面シートに接続され、
前記切片が前記セパレータから外れると前記ブックレット部が開き内側に印刷された表示情報を視認可能とされる手段を採用することもできる。
また、長尺の前記セパレータから外す際に、前記接着層が前記商品に貼りついた後に前記仮着糊殺し領域が剥がれる位置として、前記セパレータに貼り着けられていることが好ましい。
【００１３】
本発明のブックレットラベルは、複数シートからなる冊子状のブックレット部を有し商品に取り付けられるブックレットラベルであって、
前記ブックレット部を前記商品に取り付け可能とする取り付け部が設けられ、
前記ブックレット部の小口側には、セパレータに仮着されるとともに該セパレータから外すと前記ブックレット部が開き内側に印刷された表示情報を視認可能とする仮着糊殺し領域が設けられることにより、ブックレットラベルがセパレータに仮着されている間は、ブックレット部が仮着糊殺し領域により開かないようにセパレータに留められており、かつ、セパレータから剥がした際には、ブックレット部の複数シートを開いてブックレット内部のシートに印刷された表示情報を視認可能とすることができる。
ここで、小口とは、冊子状とされたブックレット部の綴じ部である「のど」を除いた３方の辺のうち、のどの反対側である「前小口」を意味している。
【００１４】
これにより、ブックレットラベルの製造時において、シートが折れ曲がったり、しわが寄ってしまい、ブックレットラベルとしての不良品が製造されることを防止できる。さらに、商品に取り付ける際に、ブックレットラベルのシートが折れ曲がったり、しわが寄ってしまい、ブックレットラベルの見栄えが悪くなったり、商品への取り付け後に不適となってしまうことを防止することができる。
【００１５】
なお、ブックレットラベルを商品に取り付けるには、ブックレット部の裏面側を商品に接着すること、あるいは、ブックレット部からはみ出した部分に貫通孔等を設けてボトル状の首部など商品の細長い部分に取り付けることなどが可能である。いずれの構成においても、ブックレットラベルがセパレータに仮着されている間は、ブックレット部が仮着糊殺し領域により開かないようにセパレータに留められており、かつ、セパレータから剥がした際には、ブックレット部の複数シートを開いてブックレット内部のシートに印刷された表示情報を視認可能とすることができる。
【００１６】
さらに、ブックレット部がセパレータに仮着された状態で開かなくするためには、ブックレット部の小口側が開かないように仮着されていればよく、ブックレット部における複数のシートが接続されて、いわゆる冊子の背表紙となる側にも、セパレータに仮着あるいは剥離可能に接着されていればよい。
【００１７】
本発明において、前記取り付け部として前記商品に貼り着ける接着層が設けられ、
前記セパレータに仮着されているときは前記ブックレット部が開かず、前記商品に貼り着けられたときは前記ブックレット部が開き内側に印刷された表示情報を視認可能とされていることにより、接着層によりブックレトラベルをセパレータに仮着するとともにセパレータからはがして商品に貼り着け可能とすることができる。同時に、ブックレットラベルがセパレータに仮着されている間は、ブックレット部が仮着糊殺し領域により開かないようにセパレータに留められており、かつ、セパレータから剥がした際には、ブックレット部の複数シートを開いてブックレット内部のシートに印刷された表示情報を視認可能とすることができる。
【００１８】
本発明において、前記ブックレット部の裏面シートには、前記商品および前記セパレータに貼り着ける前記接着層が設けられ、
前記ブックレット部の最表面シートを前記セパレータ側に仮着して、前記セパレータに仮着されているときは前記ブックレット部が開かない状態を維持可能であるとともに、前記セパレータから剥がされた際に接着性をもたないように接着層に糊殺し層が積層された仮着糊殺し領域が設けられることにより、接着層によりブックレトラベルをセパレータに仮着し、また、セパレータから剥がして接着層によりブックレトラベルを商品に貼り着け可能とするとともに、接着層のセパレータ側に糊殺し層を積層して、ブックレトラベルをセパレータに仮着されている間は、ブックレット部が仮着糊殺し領域により開かないようにセパレータに留められており、かつ、セパレータから剥がした際には、ブックレット部の複数シートを開いてブックレット内部のシートに印刷された表示情報を視認可能とすることが可能となる。
【００１９】
また、本発明において、前記ブックレット部の裏面シートの小口側先端位置には切断線で切り取られる切片が設けられ、
前記切片裏面には前記仮着糊殺し領域が設けられ、前記切片表面側が前記ブックレット部の最表面シートに接続され、
前記切片が前記セパレータから外れると前記ブックレット部が開き内側に印刷された表示情報を視認可能とされることにより、ブックレットラベルの製造時にセパレータにおいて、ブックレット部の小口側先端となる位置に糊殺し層を設けて仮着糊殺し領域を形成し、接着層によりセパレータに裏面シートを貼り着けるとともに切断線を形成した状態とすることで、ブックレット部の裏面シートの小口側先端位置に切断線を介して設けられた切片の部分が、セパレータにブックレットラベルが仮着されている間は、接着層および糊殺し層によってセパレータに仮着されており、セパレータからブックレットラベルを剥がした際に、切断線よりもブックレット部の背表紙側から離間した状態となる。これにより、セパレータにブックレットラベルが仮着されている間は、切片を介してブックレット部の最表面シートがセパレータに仮着されてブックレット部が開かない状態で留められているとともに、セパレータからブックレットラベルを剥がした際に、ブックレット部の最表面シートが切片とともに裏面シートの背表紙側から離間して、ブックレット部の最表面シートが裏面シートの背表紙側に対して開ける状態とすることができる。
ここで、仮着糊殺し領域は少なくとも切片に対応する領域に設けられていればよいが、これ以外にも糊殺し層を形成することが可能である。
【００２０】
また、前記切片が前記セパレータから外れた際には、前記ブックレット部の最表面シートに貼りついていることにより、セパレータにブックレットラベルが仮着されている間は、切片を介してブックレット部の最表面シートがセパレータに仮着されてブックレット部が開かない状態で留められているとともに、セパレータからブックレットラベルを剥がした際に、ブックレット部の最表面シートが切片とともに裏面シートの背表紙側から離間して、ブックレット部の最表面シートが裏面シートの背表紙側に対して開ける状態とすることができる。
【００２１】
また、長尺の前記セパレータから外す際に、前記接着層が前記商品に貼りついた後に前記仮着糊殺し領域が剥がれる位置として、前記セパレータに貼り着けられていることにより、ラベラーなどを用いてブックレットラベルを商品に貼り付ける際に、セパレータを繰り出して、仮着糊殺し領域の一部がセパレータに仮着されている状態で、セパレータから剥がれた接着層の一部を商品に貼り付けで、ラベラーの剥離手段などにおいて、ブックレットラベルがセパレータと商品との両方から離間して、どこにも支持されずに落下してしまうことを防止しつつ、商品の所定の場所にかつ所定の向きでブックレットラベルを連続的に多数貼り着けることが可能となる。
【００２２】
具体的には、ラベラー（自動貼り着け機）における剥離手段に設けられた剥離板にその先端でセパレータが折れ曲がるように剥離板表面から裏面に掛け回された状態で、セパレータを剥離板表面から裏面に沿って移動させることにより、セパレータに断続的に仮着されたブックレットラベルが、一枚ずつ繰り出される。この際、セパレータから離間して剥離板の表面側先端から突出したブックレットラベルの部分には、その裏面に少なくとも接着層の一部分が位置するとともに、セパレータに仮着されて剥離板の先端よりも後瑞側の表面側に沿って位置している部分には、その裏面に少なくとも仮着糊殺し領域となる糊殺し層が位置する状態となるように設定される。
【００２３】
これにより、セパレータから離間して剥離板の表面側先端から突出したブックレットラベルの部分において、裏面の接着層が商品に貼り着け可能に露出するとともに、セパレータに仮着されて剥離板の先端よりも後瑞側の表面側に沿って位置している部分において、仮着糊殺し領域がセパレータに仮着された状態を維持することが可能となる。従って、接着層による商品へのブックレットラベルの支持か、あるいは、仮着糊殺し領域によるセパレータへのブックレットラベルの支持が持続した状態で、ブックレットラベルを商品に貼り着けることが可能となる。
【００２４】
なお、接着層と仮着糊殺し領域との位置関係は、貼り着け工程におけるセパレータの繰り出し方向に依存し、このセパレータの繰り出し方向に対して、少なくとも接着層の一部が商品に貼り着け可能として繰り出し方向に剥離板先端よりも突出するとともに、少なくとも仮着糊殺し領域の一部が繰り出し方向に剥離板先端よりも後瑞側に位置していればよく、この位置関係が維持されていれば、セパレータに仮着するブックレットラベルの位置は適宜設定可能である。
【００２５】
例えば、セパレータの延在する長尺方向に対して、剥離板先端が直交する端部形状ではなく、セパレータの延在する長尺方向に対して、剥離板先端が傾斜する端部形状である場合などは、セパレータの繰り出し方向においてブックレットラベルが剥離板先端よりも突出する部分に接着層の一部があり、これよりも剥離板後瑞側に仮着糊殺し領域の一部があれば、セパレータの延在する長尺方向に対して、仮着糊殺し領域の一部よりも接着層の一部が後退側位置、つまり、仮着糊殺し領域がセパレータから完全に離間しても接着層の一部がセパレータに仮着している状態なども可能である。
【００２６】
本発明で重要なことは、貼り着け工程において、ブックレットラベルが同時にセパレータと商品との両方に固定されることを維持して、ブックレットラベルのどこも仮着あるいは貼り着けられていない状態となってしまうことを防止することである。
【００２７】
本発明のブックレットラベルの製造方法は、上記のいずれか記載のブックレットラベルの製造方法であって、
前記ブックレット部となる長尺の複数シートからなる積層シートを形成する工程と、
前記積層シートの前記裏面シートに前記接着層を形成する工程と、
前記セパレータに糊殺し層を形成する工程と、
前記積層シートの前記裏面シートと前記セパレータとを貼り合わせる工程と、
前記積層シートを打ち抜いてラベル輪郭を形成する工程と、
を有することにより、接着層によりブックレトラベルをセパレータに仮着するとともにセパレータからはがして商品に貼り着け可能とするとともに、ブックレットラベルがセパレータに仮着されている間は、ブックレット部が仮着糊殺し領域により開かないようにセパレータに留められており、かつ、セパレータから剥がした際には、ブックレット部の複数シートを開いてブックレット内部のシートに印刷された表示情報を視認可能とすることができる。これにより、商品に貼り着ける際に、ブックレット部のシートが折れ曲がったり、しわが寄ってしまい、ブックレットラベルとしての見栄えが悪くなったり、商品への貼り着け後に不適となってしまうブックレットラベルを製造することを防止できる。また、ブックレットラベルの製造時において、シートが折れ曲がったり、しわが寄ってしまい、ブックレットラベルとしての不良品が製造されることを防止できる。
【００２８】
また、これら接着層および糊殺し層を印刷装置により形成して、ブックレットラベルを製造することが可能となる。これにより、多数のロールを用いて、ロール状に巻回したセパレータに断続的に貼り着けられた状態でブックレットラベルを効率的に製造することが可能となる。
【００２９】
本発明においては、長尺の前記セパレータから外して前記商品に貼り着ける際に、前記接着層が前記商品に貼りついた後に前記仮着糊殺し領域が剥がれる位置関係として前記接着層と前記仮着糊殺し領域とが形成されることにより、接着層によりブックレトラベルをセパレータに仮着し、また、セパレータから剥がして接着層によりブックレトラベルを商品に貼り着け可能とするとともに、接着層のセパレータ側に糊殺し層を積層して、ブックレトラベルをセパレータに仮着されている間は、ブックレット部が仮着糊殺し領域により開かないようにセパレータに留められており、かつ、セパレータから剥がした際には、ブックレット部の複数シートを開いてブックレット部内側のシートに印刷された表示情報を視認可能とするブックレットラベルを製造することが可能となる。
【００３０】
本発明のブックレットラベルの貼り着け方法は、上記のいずれか記載のブックレットラベルの貼り着け方法であって、
長尺の前記セパレータから外す際に、前記接着層が前記商品に貼りついた後に前記仮着糊殺し領域が剥がされることにより、ラベラーなどを用いてブックレットラベルを商品に貼り付ける工程において、例えばロール状とされたセパレータを繰り出して、仮着糊殺し領域の一部がセパレータに仮着されている状態で、セパレータから剥がれた接着層の一部を商品に貼り付けて、ラベラーの剥離手段などにおいて、ブックレットラベルがセパレータと商品との両方から離間して、どこにも支持されずに落下してしまうことを防止しつつ、商品の所定の場所にかつ所定の向きでブックレットラベルを連続的に多数貼り着けることが可能となる。
【００３１】
具体的には、ラベラー（自動貼り着け機）における剥離手段に設けられた剥離板にその先端で形成される折り返し線からセパレータが折れ曲がるように剥離板表面から裏面に掛け回された状態で、セパレータを剥離板表面から裏面に沿って移動させることにより、セパレータに断続的に仮着されたブックレットラベルが、一枚ずつ繰り出される。この際、セパレータから離間して剥離板の表面側先端で規定された折り返し線から突出したブックレットラベルの部分には、その裏面に少なくとも接着層の一部分が位置するとともに、セパレータに仮着されて剥離板先端で規定された折り返し線よりも後瑞側の剥離板表面側に沿って位置している部分には、その裏面に少なくとも仮着糊殺し領域（切片）となる糊殺し層が位置する状態となるように設定される。
【００３２】
これにより、セパレータから離間して剥離板の表面側先端で規定された折り返し線から突出したブックレットラベルの部分において、裏面の接着層が商品に貼り着け可能に露出するとともに、セパレータに仮着されて剥離板先端で規定された折り返し線よりも後瑞側の表面側に沿って位置している部分において、仮着糊殺し領域（切片）がセパレータに仮着された状態を維持することが可能となる。従って、接着層による商品へのブックレットラベルの支持か、あるいは、仮着糊殺し領域によるセパレータへのブックレットラベルの支持が持続した状態で、ブックレットラベルを商品に貼り着けることが可能となる。
【００３３】
また、自動貼り着け機によって前記セパレータから剥がして前記商品に貼り着ける工程において、
前記セパレータを折り返し線から折り返して剥がす際に、前記折り返し線に対して前記接着層の一部が前側に位置するとともに、前記折り返し線に対して前記仮着糊殺し領域の一部が後側に位置した状態として、前記商品に貼り着けることにより、貼り着け工程において、折り返し線から突出した部分裏面の接着層が商品に貼り着け可能に露出するとともに、折り返し線よりも後瑞側の仮着糊殺し領域（切片）がセパレータに仮着された状態を維持することが可能となる。従って、接着層による商品へのブックレットラベルの支持か、あるいは、仮着糊殺し領域（切片）によるセパレータへのブックレットラベルの支持のいずれかが持続した状態で、ブックレットラベルを商品に貼り着けることが可能となる。
【００３４】
これにより、ブックレットラベルが自動貼り着け機の剥離手段と商品との間で支持されなくなってしまう状態を回避して、ブックレットラベルが落ちてしまうことなく商品に貼り着けることができる。
【発明の効果】
【００３５】
本発明によれば、印刷機等により製造している間および商品に貼り着けるまではブックレット部が開くことなく、商品に貼り着けた後にブックレット部が視認可能に開いている状態のラベルを提供可能とし、しわの発生やラベル輪郭形状不良の発生を防止しつつ、従来はできなかった、貼り着ける動作のみで、貼り着けると同時にブックレット部の中味を視認可能とすることが可能なブックレットラベルを提供可能とするともに、ブックレットラベルを貼り着ける際のハンドリング性を向上し、製造、および、貼り着けにおける歩留まりを向上することができるという効果を奏することが可能となる。
【図面の簡単な説明】
【００３６】
【図１】本発明に係るブックレットラベルの第１実施形態を示す平面図である。
【図２】本発明に係るブックレットラベルの第１実施形態における仮着状態を示す断面図である。
【図３】本発明に係るブックレットラベルの第１実施形態における貼り着け後の状態を示す断面図である。
【図４】本発明に係るブックレットラベルの第１実施形態におけるロール状態を示す模式断面図である。
【図５】本発明に係るブックレットラベルの第１実施形態における製造装置を示す模式図である。
【図６】本発明に係るブックレットラベルの第１実施形態における製造装置を示す模式図である。
【図７】本発明に係るブックレットラベルの第１実施形態における製造方法における工程図である。
【図８】本発明に係るブックレットラベルの第１実施形態における貼り着け装置を示す模式正面図である。
【図９】本発明に係るブックレットラベルの第１実施形態における貼り着け方法を示す拡大平面図である。
【図１０】本発明に係るブックレットラベルの第１実施形態における貼り着け方法を示す工程図である。
【図１１】本発明に係るブックレットラベルの第２実施形態を示す平面図である。
【図１２】本発明に係るブックレットラベルの第３実施形態における貼り着け方法を示す拡大平面図である。
【図１３】本発明に係るブックレットラベルの第４実施形態における製造装置を示す模式図である。
【図１４】本発明に係るブックレットラベルの第５実施形態における製造方法を示す工程図である。
【図１５】本発明に係るブックレットラベルの第６実施形態を示す平面図である。
【図１６】本発明に係るブックレットラベルの第６実施形態を示す断面図である。
【図１７】本発明に係るブックレットラベルの第６実施形態における貼り着け状態を示す斜視図である。
【図１８】本発明に係るブックレットラベルの第７実施形態を示す平面図である。
【図１９】本発明に係るブックレットラベルの第７実施形態における貼り着け状態を示す斜視図である。
【図２０】本発明に係るブックレットラベルの第８実施形態を示す平面図である。
【図２１】本発明に係るブックレットラベルの第９実施形態を示す断面図である。
【発明を実施するための形態】
【００３７】
以下、本発明に係るブックレットラベルの第１実施形態を、図面に基づいて説明する。
図１は、本実施形態におけるブックレットラベルを示す平面図であり、図２は、本実施形態におけるブックレットラベルの仮着状態を示す断面図であり、図において、符号１０は、ブックレットラベルである。
【００３８】
本実施形態に係るブックレットラベル１０は、図１，図２に示すように、略矩形の複数枚のシート１１ａ，１１ｂ，１１ｃ，１１ｄ，１１ｅからなるブックレット部１２を有するものとされ、均一な間隔として長尺のセパレータ１３に複数仮着されている。ブックレットラベル１０は、セパレータ（剥離紙）１３に仮着された状態では、ブックレット部１２の小口（前小口）１２ａ側が開かないようになっている。
【００３９】
ブックレットラベル１０のブックレット部１２は、図１，図２に示すように、内側のシート１１ｂとシート１１ｃとが一枚の二つ折りシートからなり、また、最表面シート（シート）１１ａとシート１１ｄとが一枚の二つ折りシートからなり、二つ折りにされた最表面シート１１ａおよびシート１１ｄの内側に、内側のシート１１ｂおよびシート１１ｃが折り目付近を綴じ糊１２ｂにより接着されて綴じ付けされている。
【００４０】
シート１１ｄは、図１，図２に示すように、綴じ糊１２ｂに対応する二つ折りの外側面（裏側面）に設けられた綴じ糊１２ｃによって、枚葉の台紙シート（裏面シート）１１ｅに貼り着けられている。
綴じ糊１２ｂおよび綴じ糊１２ｃは、ブックレット部１２の綴じ部、いわば、背表紙側を形成する状態となっている。これにより、複数枚のシート１１ａ，１１ｂ，１１ｃ，１１ｄは、シート１１ｅに対して冊子状に開けるように構成されて、ブックレット部１２を構成している。
【００４１】
綴じ糊１２ｂおよび綴じ糊１２ｃは、略矩形のブックレット部１２の一辺であるのどにあたる綴じ部の全長に設けられており、この綴じ糊１２ｂおよび綴じ糊１２ｃが設けられたのどに対向する辺が小口１２ａとされている。
【００４２】
最表面シート１１ａは、図１，図２に示すように、他の二つ折りとされたシート１１ｂ，１１ｃ，１１ｄよりも小口１２ａ側が延長されており、平面視してシート１１ｂ，１１ｃ，１１ｄよりもはみ出した状態となっている延設シート１１ａａが形成されている。最表面シート１１ａにおいて、このシート１１ｂ，１１ｃ，１１ｄよりもはみ出した延設シート１１ａａの部分は、閉め糊１２ｄによって台紙シート１１ｅに貼り着けられている。
【００４３】
台紙シート１１ｅの裏面側、つまり、ブックレット部１２のシート１１ｄが設けられていない側には、図１，図２に示すように、その全面に、接着層１４が設けられ、さらにそのセパレータ１３側には、糊殺し層１５が設けられており、これら接着層１４および糊殺し層１５によって台紙シート１１ｅがセパレータ１３に仮着されている。
【００４４】
接着層１４は、セパレータ１３に対してブックレットラベルを仮着しておくとともに、後述するように、ブックレットラベル１０をセパレータ１３から剥離して、取り付け部としてブックレットラベル１０自体を商品Ｓに貼り着ける際に、ブックレットラベル１０を商品Ｓにしっかりと固定できるように構成されている。
【００４５】
糊殺し層１５は、図１，図２に示すように、平面視して綴じ糊１２ｂおよび綴じ糊１２ｃに対応する位置を除いて設けられており、台紙シート１１ｅが接着層４によって商品Ｓに貼り着けられた際に、台紙シート１１ｅの裏面側が商品Ｓに貼りついておらず、この面も視認可能とされている。
【００４６】
本実施形態において、糊殺し層１５の形成された領域は、仮着糊殺し領域とされ、セパレータ１３には仮着されているが、一度、セパレータ１３から剥離してしまうと接着性はほとんどなく、セパレータ１３以外の他の面には貼りつかないようになっている。これにより、セパレータ１３から剥離してしまうと糊殺し層１５の設けられた仮着糊殺し領域では、手指等に粘着剤などが付着することがない。
【００４７】
台紙シート１１ｅの小口１２ａ側には、図１，図２に示すように、この小口輪郭と並行となるように、切断線１７が設けられて、この切断線１７により切断される切片１６がセパレータ１３に仮着されている。
切断線１７は、台紙シート１１ｅと接着層１４と糊殺し層１５との厚み方向全体に設けられている。切断線１７は、平面視して、シート１１ｂ，１１ｃ，１１ｄの小口１２ａ側端部における輪郭線と略同一位置となるように形成されている。
【００４８】
切片１６は、台紙シート１１ｅ、接着層１４、糊殺し層１５における切断線１７よりも小口１２ａ側端部の部分と、台紙シート１１ｅ表面側の閉め糊１２ｄとから構成されており、切片１６は、閉め糊１２ｄによって台紙シート１１ｅの小口１２ａ側端部に貼り着けられている。切片１６は、その全裏面が仮着糊殺し領域とされている。
【００４９】
本実施形態に係るブックレットラベル１０は、図１に示すように、複数枚がセパレータ１３に仮着されているが、このとき、後述するように商品Ｓにブックレットラベル１０を貼り付ける際に、仮着糊殺し領域である糊殺し層１５がセパレータ１３から完全に剥離してしまう前に、接着層１４が商品に貼り着けられた状態となるように、この仮着位置が設定されている。
【００５０】
具体的には、図１に矢印Ｂで示す長尺のセパレータ１３の延在する方向において、接着層１４の前側となる先端と、切片１６の糊殺し層１５の後側となる後瑞とが、セパレータ１３の延在する方向と直交する直線Ｃに対して、それぞれ両側に位置するように設定されている。ここで、直線Ｃは、後述するように、ブックレットラベル１０をセパレータ１３から剥離する際の折り返し線Ｃを想定しているが、説明のため、ブックレットラベル１０の中心を通るように図示している。
【００５１】
これにより、後述するように、ブックレットラベル１０をセパレータ１３から剥離する際に、接着層１４の先端がセパレータ１３から剥離した状態で、かつ、仮着糊殺し領域である糊殺し層１５は、セパレータ１３に仮着された状態を維持するように、平面視したこれらの層１４，１５における仮着状態での位置関係が設定される。
【００５２】
本実施形態では、接着層１４および糊殺し層１５のいずれも、長尺のセパレータ１３の延在する方向に対して並行位置で、互いに並行状態とされ、かつ、いずれも同じ長さで、それぞれが均一な幅寸法を維持するように設定されている。
【００５３】
ブックレットラベル１０は、シート１１ａ〜１１ｅに、それぞれ、異なる表示情報が印刷されており、貼り着ける商品Ｓに関する情報を開示することができる。
さらに、切片１６における裏面シート１１ｅの裏面、つまりセパレータ１３側の面にも、表示情報を印刷することができ、特に、最表面シート１１ａの内側面と切片１６裏面との印字図表などのデザインを連続したものとして、最表面シート１１ａをめくった際に、これらを一体として視認可能とすることもできる。この場合、接着層１４および糊殺し層１５を透明なものとしておくことが好ましい。
【００５４】
図３は、本実施形態におけるブックレットラベルの貼り着け状態を示す断面図であり、図４は、本実施形態におけるブックレットラベルのロール状とされた仮着状態を示す断面図である。
本実施形態に係るブックレットラベル１０は、図１，図２に示すように、セパレータ１３に複数仮着された状態とされ、このとき、最表面シート１１ａは、その小口１２ａ側端部が、閉め糊１２ｄによって切片１６の台紙シート１１ｅ表面に固定されている。
【００５５】
切片１６は、全裏面が仮着糊殺し領域とされており、セパレータ１３に仮着された状態となっているため、ブックレット部１２側の台紙シート１１ｅに対して、最表面シート１１ａが台紙シート１１ｅと平行に閉塞された状態を維持する。
【００５６】
これにより、セパレータ１３に複数仮着された状態では、内側のシート１１ｂ，１１ｃ，１１ｄが、いずれも最表面シート１１ａによって台紙シート１１ｅに向けて押さえつけられた状態となる。つまり、内側のシート１１ｂ，１１ｃ，１１ｄのいずれも台紙シート１１ｅと平行に閉塞された状態を維持することになる。したがって、ブックレット部１２の小口１２ａ側が開かないようになっている。
【００５７】
これに対し、図３に示すように、ブックレットラベル１０をセパレータ１３から剥離した場合においては、仮着糊殺し領域である糊殺し層１５がセパレータ１３から剥離するため、切片１６はセパレータ１３から離間する。同時に、切断線１７が形成されているために、ブックレット部１２側の台紙シート１１ｅに対して、この切片１６が離間した状態となる。
【００５８】
これにより、接着層１４が貼り着け可能となっているブックレット部１２側の台紙シート１１ｅに対して、切片１６が固定されていない状態、つまり、自由に動ける状態となる。
この状態で、切片１６に閉め糊１２ｄによって接着されていた最表面シート１１ａの小口１２ａ側端部は、図３に示すように、ブックレット部１２側の台紙シート１１ｅに対して、二つ折りにされた折り線から自由に開くことが可能となる。
【００５９】
これにより、セパレータ１３に複数仮着された状態では、最表面シート１１ａによって台紙シート１１ｅ側に押さえつけられていた内側のシート１１ｂ，１１ｃ，１１ｄが、最表面シート１１ａによる制限・規制がなくなるため、図３に示すように、いずれも台紙シート１１ｅに対して、二つ折り線、綴じ糊１２ｂおよび綴じ糊１２ｃ側から自由に開けるようになり、ブックレット部１２を開いて、自由にシート１１ａ〜１１ｅに印刷されている表示情報を確認することができる。
【００６０】
なお、本実施形態においては、最表面シート１１ａによって、押さえつけられていた台紙シート１１ｅも、接着層１４の接着可能領域が綴じ糊１２ｂおよび綴じ糊１２ｃ側のみに設けられていることにより、ブックレットラベル１０をセパレータ１３から剥離した場合においては、台紙シート１１ｅも、接着層１４から自由に開くことが可能となる。
この場合、台紙シート１１ｅの裏面に表示情報を印刷して視認可能とする場合には、接着層１４および糊殺し層１５を透明なものとすることが好ましい。
【００６１】
また、糊殺し層１５を切断線１７のブックレット１２側、つまり、切片１６とは反対側となる裏面シート１１ｅに設けないで、切断線１７のブックレット１２側の全面で接着層１４が露出した状態とすることにより、裏面シート１１ｅのほぼ全面が商品Ｓから剥がれないようにすることもできる。この場合、切片１６以外の裏面シート１１ｅには表示情報を印刷しないことが好ましい。
【００６２】
なお、図３においては、ブックレットラベル１０をセパレータ１３から剥離した後、商品Ｓに貼り着けた状態を示している。
【００６３】
本実施形態に係るブックレットラベル１０は、均一な間隔として長尺のセパレータ１３に複数仮着されて、図４に示すように、ロール１０Ａの状態とされて保管されることができる。
このようなロール１０Ａの状態においても、最表面シート１１ａが切片１６を介してセパレータ１３に仮着されているため、ブックレット部１２が開いてしまうことがない。これにより、しわ、よれ、などの発生を防止することができる。
【００６４】
なお、本実施形態に係るブックレットラベル１０は、略矩形のラベル輪郭を有するものとしたが、この形状に限定されるものではない。
【００６５】
次に、本実施形態におけるブックレットラベルの製造方法について図面に基づいて説明する。
【００６６】
図５は、本実施形態におけるブックレットラベルの製造装置を示す模式図であり、図６は、本実施形態におけるブックレットラベルの製造装置を示す模式図であり、図７は、本実施形態におけるブックレットラベルの製造方法を示す工程図である。
本実施形態におけるブックレットラベル１０を製造するには、まず、図５に示すように、シート１１ａおよびシート１１ｄとなる長巻状の原反シート２１（印刷用紙、ラベル用紙）を巻出手段３１より巻き出し送行させる。
【００６７】
これと平行して、シート１１ｂおよびシート１１ｃとなる長巻状の原反シート２２（印刷用紙、ラベル用紙）を巻出手段３２より巻き出し送行させる。
【００６８】
このようにして、図５に示すように、送行された原反シート２１を印刷ユニット３３（通常の印刷インキ、紫外線硬化型印刷インキなど各種インキを用いたグラビア印刷、凹版印刷、オフセット印刷、凸版印刷、スクリーン印刷等の各種印刷方式による印刷ユニット）に導入する。同時に、送行された原反シート２２を印刷ユニット３４（上記各種印刷方式による印刷ユニット）に導入する。印刷ユニット３３，３４においては、それぞれ原反シート２１、２２の片面又は両面に、適宜デザインされた文字・図表などの表示情報をラベル表示用の印刷として施す。
【００６９】
印刷ユニット３３にて印刷された原反シート２１は、ガイドロール３１ａを通過した後、接着剤塗布手段３５に導入され、図７（ａ）に示すように、原反シート２１片面（上面）の中央領域の原反シート送行方向に沿って接着剤層（綴じ糊）１２ｂを塗布するとともに、その原反シート２１片面（上面）のシート両端に沿って接着剤層２３、２３を塗布する。
【００７０】
他方、印刷ユニット３４にて印刷された原反シート２２は、ガイドロール３２ａを通過した後、接着剤層（綴じ糊）１２ｂ、接着剤層２３、２３の塗布された原反シート２１と重ね合わせられながら貼り合わせロール手段３６に導入されて、図７（ａ）に示すように、互いに接着剤層（綴じ糊）１２ｂにて貼り合わせられる。
【００７１】
貼り合わせられた原反シート２１、２２は、続いて、図５に示すスリット手段３７（圧ロール３７ａ、カッターロール３７ｂ間）に導入されて、図７（ａ）に示すように、原反シート２２の幅方向の片側に、その片側端縁より所定幅にて原反シート送行方向に沿ってカッティングライン２５が刻切されて、図７（ａ）に示すように、第１貼り合わせシート３８として形成され、該貼り合わせシート３８は、図５に示すように、一旦、巻取手段３９にて長巻状に巻き取られる。
【００７２】
次に、長巻状に巻き取られた上記第１貼り合わせシート３８は、図６に示すように巻出手段にて巻き出し送行して、スリット手段４０（圧ロール４０ａ、カッターロール４０ｂ間）に導入されて、図７（ａ）に示すように、原反シート２１、２２は、その両側にある接着剤層２３の内側にて、原反シート送行方向に沿ってシート両端縁より所定幅にてスリットされて、シート幅方向の両側にカッティングライン２４、２４が刻切され、図７（ｂ）に示すように両側のカッティングライン２４、２４と片側のカッティングライン２５を形成した貼り合わせシート３８が形成される。
【００７３】
続いて、カッティングライン２４、２４とカッティングライン２５を形成した貼り合わせシート３８は、図６に示すように剥離ロール４１に導入されて、カッティングライン２４、２４によりカッティングされた原反シート２１、２２の長い所定幅の両端部と、カッティングライン２５によりカッティングされた原反シート２２の短い所定幅の片端部とが剥離巻取手段４２にて巻き取られながら送行し、図７（ｂ）に示すように、原反シート２２に対して原反シート２１の幅方向一端部に延設シート１１ａａを有する第２貼り合わせシート４３として形成される。
【００７４】
なお、前記両側のカッティングライン２４、２４と片側のカッティングライン２５の刻切は、図５に示すスリット手段３７または図６に示すスリット手段４０のいずれか一方により同時に行うことが可能である。
【００７５】
続いて、第２貼り合わせシート４３は、図６に示すように、折りロール４４を備えたホールダー手段（折り手段）に導入されて、シート２１、２２の送行方向の中央領域に塗布形成された前記接着剤層（綴じ糊）１２ｂに沿って折り曲げられ、続いて押圧対向する１対のニップロール４５間に導入され、図７（ｃ）に示すように、原反シート２１、２２は二つ折りされ、前記延設シート１１ａａは、延設部２１ｄと貼着用延設端部２１ｆとなって、長巻状の積層シートとして冊子状のブックレット部１２Ａが形成される。
【００７６】
二つ折り冊子状に形成されて送行する長巻状の積層シートとされる冊子状のブックレット部１２Ａは、図６に示すように、ガイドロール３９ａを通過した後、貼り合わせ手段４６に導入される。
【００７７】
他方、巻出手段５０からは、台紙シート１１ｅ、セパレータ１３、および、これらを貼り合わせる接着層１４となる原反である長巻状のラベルシート状部１４Ｂが巻き出されて、剥離ロール５０ａ，５０ｂにおいて、図７（ｄ）に示すように、接着層１４の付いた台紙シート１１ｅと、セパレータ１３とに剥離される。
【００７８】
ラベルシート状部１４Ｂは、ロール５０ｃ，５０ｄによってこれらが離間している状態で、図７（ｄ）に示すように、セパレータ１３の表面に、仮着糊殺し領域に対応するように、糊殺し層１５が塗布形成される。そのた後、図６に示すように、貼り合わせロール５０ｅ，５０ｆによって、接着層１４の付いた台紙シート１１ｅとなる原反と、糊殺し層１５の付いたセパレータ１３となる原反とが、これら接着層１４および糊殺し層１５となる部分によって互いに貼り合わせられ、図７（ｅ）に示すように、長巻状のラベルシート状部１５Ｂとされる。
【００７９】
送行する台紙シート１１ｅ、接着層１４、糊殺し層１５、セパレータ１３となる原反である長巻状のラベルシート状部１５Ｂの台紙シート１１ｅとなる原反は、カッターロール５０ｇおよび圧ロール５０ｈからなるスリット手段に導入されて、台紙シート１１ｅ、接着層１４、糊殺し層１５となる原反シートには、原反シート送行方向に沿ってシート端縁より切片１６に対応する所定幅となる位置にてスリットされて、シート幅方向の片側に切断線１７が刻切され、図７（ｆ）に示すように、片側の切断線１７を形成したラベルシート状部１６Ｂが形成される。
【００８０】
送行する切断線１７を形成した台紙シート１１ｅ、接着層１４、糊殺し層１５およびセパレータ１３となる原反である長巻状のラベルシート状部１６Ｂの台紙シート１１ｅ面には、図７（ｇ）に示すようにブックレット部１２の幅方向両端部位置には、接着剤層（綴じ糊）１２ｂの真下と貼着用延設端部２１ｆの真下に重なる領域に送行方向に沿って接着剤塗布手段５１（接着剤塗布ノズル）にて接着剤が塗布されて接着剤層（綴じ糊）１２ｃおよび閉め糊１２ｄが形成される。なお、閉め糊１２ｄは後工程においてカットされる部分まで形成されていてもよいが、綴じ糊１２ｃは、所定の幅寸法で形成されることが好ましい。
【００８１】
綴じ糊１２ｃと閉め糊１２ｄとが形成された後に、図６に示すように、長巻状のラベルシート状部１６Ｂは貼り合わせ手段４６に導入されて、図７（ｈ）に示すように、長巻状の冊子状のブックレット部１２Ａの接着剤層（綴じ糊）１２ｂの真下および貼着用延設端部２１ｆの真下と、長巻状のラベルシート状部１６Ｂの台紙シート１１ｅは、接着剤層（綴じ糊）１２ｃおよび閉め糊１２ｄにより貼り合わされる。なお、長巻状のラベルシート状部１６Ｂの表面（上面）および裏面（下面）にはラベル情報等とされる表示情報や印刷を適宜施すことが可能である。
【００８２】
続いて、図６に示すように、貼り合わされた長巻状の冊子状のブックレット部１２Ａと長巻状のラベルシート状部１６Ｂは、ロータリーカッター（型抜き）手段４７（圧ロール４７ａ、型抜きロール４７ｂ）に導入されて、長巻状のラベルシート状部１６Ｂの幅方向両側のセパレータ１６を残して、最表面シート１１ａ（あるいは貼着用延設端部２１ｆ）、台紙シート１１ｅ、接着層１４、糊殺し層１５、閉め糊１２ｄを送行方向に沿って型抜きカッティングして、図７（ｈ）に示すように型抜き線２７、２８を刻切するともに、送行方向と直交する送行幅方向に沿って、長巻状の冊子状のブックレット部１２Ａと、長巻状のラベルシート状部１６Ｂのシート１１ａ〜１１ｅ、綴じ糊１２ｂ、接着層１４、糊殺し層１５、綴じ糊１２ｃを型抜きカッティングする。
【００８３】
続いて、図６に示すように、型抜きカッティングされた長巻状の冊子状のブックレット部１２Ａと長巻状のラベルシート状部１６Ｂとを剥離ロール４８に導入して、型抜きカッティングされた余白の長巻状冊子状のブックレット部１２Ａと長巻状ラベルシート状部１６Ｂの余白のシート１１ａ〜１１ｅ、綴じ糊１２ｂ、接着層１４、糊殺し層１５、綴じ糊１２ｃとを剥離巻取手段４９にて巻き取りながらセバレータ１３から剥離する。
【００８４】
これにより、型抜きカッティングされた冊子状のブックレット部１２を有するブックレットラベル１０は、長尺状のセパレータ１３上に断続的に等間隔に配列されて接着した状態で、図１，図２に示すように、冊子状のブックレット部１２が開かないように仮着された状態としてブックレットラベル１０が製造され、長尺状のセパレータ１３とともに巻取手段５２にて巻き取られて、図４に示すようなロール１０Ａとされる。
【００８５】
このようにして製造された本実施形態のブックレットラベル１０は、図１，図２，図４に示すように、シート１１ｂとシート１１ｃとを折目に沿って二つ折りした二つ折りのシート１１ｂ，１１ｃと、この二つ折り内側シート１１ｂ，１１ｃ外側に１枚の最表面シート１１ａとシート１１ｄとを内側の折目と整合して重なる折目に沿って綴じ糊１２ｂにて綴じ付けし、二つ折りした二つ折り外側シート１１ａ，１１ｄとによりブックレット部１２が形成される。また、二つ折り外側シート１１ａ，１１ｄの最表面シート１１ａの小口１２ａとなる見開き端部には延設シート１１ａａが形成され、シート１１ｄが綴じ糊１２ｃにより台紙シート１１ｅに貼り着けられる。さらに、最表面シート１１ａの延設シート１１ａａが閉め糊１２ｄにより台紙シート１１ｅに貼り着けられ、台紙シート１１ｅが接着層１４および糊殺し層１５によりセパレータ１３に仮着されり、シート１１ｂ，１１ｃ，１１ｄの小口１２ａ端部に切断線１７が設けられる。これにより、延設シート１１ａａに対応する台紙シート１１ｅ、接着層１４、糊殺し層１５が切片１６とされ、セパレータ１３に仮着されている間はブックレット部１２が開かない構成とされている。
【００８６】
また、図３に示すように、最表面シート１１ａの延設シート１１ａａが切片１６とともにセパレータ１３から離間することで、ブックレット部１２が開封されて、内部のシート１１ａ〜１１ｅに印刷された表示情報が視認可能となっている。
なお、本実施形態では、長巻状のラベルシート状部１４Ｂを、台紙シート１１ｅ、セパレータ１３、接着層１４が貼り合わされた状態で供給したが、台紙シート１１ｅとセパレータ１３とをそれぞれ異なる原反として供給し、接着層１３を台紙シート１１ｅに形成し、糊殺し層１５をセパレータ１３に形成することも可能である。
【００８７】
次に、本実施形態におけるブックレットラベルの貼り着け方法について図面に基づいて説明する。
【００８８】
図８は、本実施形態におけるブックレットラベルの貼り着け装置を示す模式正面図であり、図９は、本実施形態におけるブックレットラベルの貼り着け装置の剥離手段を示す拡大模式平面図であり、図１０は、本実施形態におけるブックレットラベルの貼り着け工程を示す工程図である。
本実施形態におけるブックレットラベル１０は、貼り着け装置１００によって商品Ｓに断続的に貼り着けられる。
【００８９】
本実施形態におけるブックレットラベルの貼り着け装置１００は、図８に示すように、ラベル貼りをする対称である被着体（商品）Ｓを搬送する搬送装置１０１と、搬送途中の商品Ｓに対してブックレットラベル１０を貼り着けるラベル貼り装置１０２と、それらの制御装置（図示せず）とを備えている。商品Ｓとしては、ここでは中身が収容された箱体を例に挙げている。
【００９０】
搬送装置１０１は、例えばベルトコンベア（以下コンベアと称する） にて構成され、商品Ｓをその上に載せて一定の速度で、あるいは必要に応じて可変速度で搬送することができる。ラベル貼り装置１０２は、コンベア１０１にて搬送途中の商品Ｓを一時的に停止させる停止手段１０４と、商品Ｓの停止時にブックレットラベル１０の端部（剥離端部）１０ａを商品Ｓに押し付けて貼り付ける押し付け手段１０６とを有している。
【００９１】
停止手段１０４は、コンベア１０１上の商品Ｓの搬送方向（矢印Ａ方向）の前面位置に対して出没可能に配置されたストッパ部材１４１を備えている。このストッパ部材１４１は平坦面１４２を有するような断面矩形の棒材（角棒）により構成され、シリンダやソレノイド等の図示しない駆動装置によりその長さ方向に進退、あるいは上下方向に移動することができる。これにより、コンベア１０１上の商品Ｓを押し付け手段１０６の直下に一時的に停止させたり、搬送を継続させたりすることができる。
【００９２】
押し付け手段１０６は、縦型に配置したエアシリンダ１６１と、エアシリンダ１６１の支持アーム１６２と、上下方向に可動するロッド１６３の先端に設けられた円柱状の加圧部材１６４とを備えている。エアシリンダ１６１は、ロッド１６３が収縮した位置で、加圧部材１６４が商品Ｓおよびブックレットラベル１０の搬送端部１０ａよりも上方に位置するとともに、ロッド１６３が伸長した位置で、加圧部材１６４をブックレットラベル１０の端部１０ａを商品Ｓの上面に押し付ける下方位置に移動させるように設計されている。なお、加圧部材１６４は、コンベア１０１上の商品Ｓの搬送状態に対応して、回動可能なローラ状とされることもできる。
【００９３】
ブックレットラベル１０は、その剥離シートである帯状のセパレータ１３の片面に並べた配置で仮着され、未使用ラベルが存在する部分はロール１０Ａとして巻かれている。セパレータ１３は、ブックレットラベル１０を剥がした後のセパレータ１３自体を巻き取ることができる強度を有する樹脂製シート等で形成されていることが好ましい。
【００９４】
商品Ｓの直上であって、商品Ｓの上面と近接する位置には、セパレータ１３からブックレットラベル１０を自動的に剥がすための剥離板（剥離手段）１０７が配置されている。この剥離板（剥離手段）１０７の先端１７１は加圧部材１６４の近くで、加圧部材１６４よりも商品Ｓの搬送方向上流側に位置するように配慮されている。さらに、剥離板１０７の上面１７２は、商品Ｓの搬送方向（矢印Ａ）下流側に向かうにしたがって下り勾配に傾斜していて、ブックレットラベル１０の端部（剥離端部）１０ａ部分を加圧部材１６４と商品Ｓの上面との間に進入させることができる斜面に形成されている。
【００９５】
剥離板（剥離手段）１０７とロール１０Ａとの間、および剥離板７１０の上面１７１側には、ブックレットラベル１０の仮着されたセパレータ１３を剥離板１０７に沿って案内するガイドローラ１８１，１８２，１８３がそれぞれ配置されている。
セパレータ（剥離シート）１３は、図９に示すように、剥離板１０７の先端１７１を経由して剥離板１０７の下面１７３側に導かれ、複数の巻き取りローラ１９１，１９２．１９３．１９４を経由して、ラベル貼り装置１０２の外へ排出されるようになっている。したがって、巻き取りローラ郡でセパレータ１３を巻き取ることにより、ブックレットラベル１０が剥離板１０７の先端１７１の部分でセパレータ１３から徐々に分離（剥離）されるようになっている。
これにより、剥離板１０７の先端１７１が、セパレータ１３を折り返して剥がす際の折り返し線Ｃを規定している。
【００９６】
特に図示していない制御装置は、例えばマイコン等を利用した既存の制御手段が採用されていて、コンベア１０１の走行駆動制御やラベル貼り装置１０２の各部の駆動制御を行う機能を有している。本実施形態において特に重要な制御機能としては、停止手段１０４のストッバ部材１４１によって商品Ｓを一時停止させるための停止動作時間と、押し付け手段１０６の加圧部材１６４によってブックレットラベル１０の端部１０ａを商品Ｓに押し付けるための押し付け動作時間とを制御する機能を挙げることができる。なお、停止動作時間と加圧動作時間を何れも１秒以内に設定し、両者はほぼ同時進行の形態をとることができる。
【００９７】
このように構成されたブックレットラベル貼り着け装置１００を用いたブックレットラベル１０の貼り着け方法について説明する。
【００９８】
まず貼り着け準備動作として、コンベア１０１に載置された商品Ｓを剥離板１０７の下位置付近まで搬送し、図１０（ａ）に示すように、商品Ｓがコンベア１０１により剥離板１０７の下まで搬送されてきたときに、商品Ｓを一時的に停止させる。
この工程においては、商品Ｓが一時停止すればよく、コンベア１０１の走行駆動を制御いて停止させる、あるいは、商品Ｓの前面がストッパ部材１４１の側面１４２に突き当たることで、商品Ｓの搬送が一時的に停止されることができる。なお、図１０において、剥離板１０７とコンベア１０１以外の装置構成は省略している。
【００９９】
このとき、貼り着け装置１００において、図８に示した複数の巻き取りローラ１９１，１９２．１９３．１９４によってセパレータ１３を少し巻き取り、図９，図１０（ｂ）に示すように、セパレータ１３およびブックレットラベル１０を剥離板１０７に対して矢印Ｂで示す方向に移動させる。このとき、端部１０ａは、ブックレットラベル１０における移動方向前側の輪郭であり、折り返し線Ｃと略並行な状態を維持したまま矢印Ｂ方向に移動する。
【０１００】
すると、図９，図１０（ｂ）に示すように、ブックレットラベル１０の端部１０ａが剥離板１０７の先端１７１より少し突出した状態となる。これにより、先端１７１で規定されるセパレータ１３の折り返し線Ｃから突出したブックレットラベル１０は、セパレータ１３から部分的に剥離されるとともに、先端１７１から突出したブックレットラベル１０の裏面において、少なくとも進行方向前側位置にある接着層１４の一部分が露出した状態となる。
【０１０１】
同時に、先端１７１で規定されるセパレータ１３の折り返し線Ｃよりも移動方向後側、つまり、平面視して剥離板１０７と重なる位置にあるブックレットラベル１０は、セパレータ１３に仮着された状態を依然として維持し、この折り返し線Ｃよりも後瑞側の剥離板１０７表面側に沿って位置している部分では、その裏面に少なくとも糊殺し層１５で仮着状態を維持した切片１６が位置する状態となる。この状態のブックレットラベル１０は、進行方向後側である糊殺し層１５および接着層１５の一部分によってセパレータ１３に対して仮着維持されて支持されている。
【０１０２】
次いで、図８に示した押し付け手段１０６のエアシリンダ１６１を駆動し、加圧部材１６４によりブックレットラベル１０の端部１０ａを下方へ押圧して、図１０（ｃ）に示すように、その端部１０ａのみを商品Ｓに押し付けて貼り付ける。
【０１０３】
このとき、ブックレットラベル１０の端部１０ａは、商品Ｓに押し付けられた接着層１４の前側部分によって貼り付けられる。これにより、ブックレットラベル１０が、少なくとも商品Ｓに固定された状態となる。同時に、この状態のブックレットラベル１０は、進行方向後側である切片１６の糊殺し層１５および接着層１５の一部分によってもセパレータ１３に対して仮着維持されて支持されている。
【０１０４】
押し付け手段１０６は、ブックレットラベル１０が少なくとも商品Ｓに固定された状態となるために充分な時間後には、エアシリンダ１６１を駆動し、加圧部材１６４を上昇させて元の位置に復帰する。また、この工程では、ストッパ部材１４１を開放してコンベア１０１にて商品Ｓを搬送可能とする。
【０１０５】
この状態で、コンベア１０１を駆動して剥離板１０７に対して載置された商品Ｓをさらに矢印Ａ方向に移動する。同時に、複数の巻き取りローラ１９１，１９２．１９３．１９４によってセパレータ１３を少し巻き取り、セパレータ１３およびブックレットラベル１０を矢印Ｂで示す方向に移動させる。このとき、コンベア１０１の駆動と、巻き取りローラ１９１，１９２．１９３．１９４の駆動と、が同期されて、セパレータ１３、ブックレットラベル１０、および、商品Ｓの移動が互いに同期するようになっている。
【０１０６】
これにより、図１０（ｄ）に示すように、商品Ｓとブックレットラベル１０が、先端１７１で規定されるセパレータ１３の折り返し線Ｃに対して前進して、矢印Ａ方向および矢印Ｂ方向に移動して、図９に示すブックレットラベル１０の後瑞１０ｂが、セパレータ１３から離間して、ブックレットラベル１０がセパレータ１３から完全に剥離する。
このとき、ブックレットラベル１０が少なくとも商品Ｓに固定された状態が維持されている。
【０１０７】
さらに、コンベア１０１を駆動して剥離板１０７に対して載置された商品Ｓをさらに矢印Ａ方向に移動する。同時に、複数の巻き取りローラ１９１，１９２．１９３．１９４によってセパレータ１３を少し巻き取り、セパレータ１３およびブックレットラベル１０を矢印Ｂで示す方向に移動させる。これにより、図１０（ｅ）に示すように、ブックレットラベル１０が少なくとも商品Ｓに貼り着けられるとともに、商品Ｓが剥離板１０７直下位置から矢印Ａ方向へ離間した状態に移動される。
【０１０８】
本実施形態におけるブックレットラベル１０は、図９に示すように、矢印Ｂで示されるセパレータ１３の送り出し方向に対して、その全長となるように接着層１４と切片１６の糊殺し層１５とがラベル幅方向両端に配置されて仮着されているため、剥離板１０７の先端１７１で規定されるセパレータ１３の折り返し線Ｃよりも繰り出し方向前側に突出した部分に接着層１４が位置して、ブックレットラベル１０の繰り出しに先行して商品Ｓに貼り着け可能となるとともに、この貼り着けに際して、折り返し線Ｃよりも繰り出し方向後側に位置した部分に切片１６の糊殺し層１５が位置して、セパレータ１３に対する仮着支持が維持可能になっている。これにより、ブックレットラベル１０においては商品Ｓおよびセパレータ１３から離間する瞬間がなく、貼り着け工程において支持を持続して、商品Ｓまたはセパレータ１３に対して貼り着けまたは仮着が持続する状態を維持することができる。
【０１０９】
本実施形態においては、セパレータ１３の折り返し線Ｃと、ブックレットラベル１０を固定・貼り着けする接着層１４と、小口１２ａ側を仮着閉塞する切片１６の糊殺し層１５と、におけるこれらのセパレータ１３表面における仮着配置を所定位置関係に設定することにより、商品Ｓに貼り着けるまではブックレット部１２が開くことなく、商品Ｓに貼り着けるとほぼ同時に、ブックレット部１２を視認可能に開くことができる状態を実現できた。
【０１１０】
これによって、製造工程および／または貼り着け工程において、しわの発生やラベル輪郭形状不良の発生を防止しつつ、従来はできなかった、貼り着ける動作のみで、貼り着けと同時にブックレット部１２の中味を視認可能とすることが可能なブックレットラベル１０を提供可能とするとともに、複数のブックレットラベル１０を連続して貼り着ける際のハンドリング性を向上し、製造、および、貼り着けにおける歩留まりを向上することができる。
【０１１１】
なお、本実施形態においては、停止手段１０４および押し付け手段１０６を用いて、ブックレットラベル１０を商品Ｓに貼り着けたが、この構成に限定されるものではなく、剥離板１０７が先端１７１側を揺動可能な構成として、コンベア１０１によって搬送されてきた商品に対し、先端１７１からブックレットラベルを突出させた状態でこの剥離板１０７を商品Ｓに向けて近接するように揺動させることによって、ブックレットラベル１０を商品Ｓに貼り着ける構成とすることや、いわゆる、流し貼りとする構成とすることなども可能である。
【０１１２】
以下、本発明に係るブックレットラベルの第２実施形態を、図面に基づいて説明する。
図１１は、本実施形態におけるブックレットラベルを示す平面図であり、本実施形態において、上述した第１実施形態と異なるのは、セパレータに対するブックレットラベルの貼り着け向きに関する点であり、これ以外の上述した第１実施形態と対応する構成には同一の符号を付してその説明を省略する。
【０１１３】
本実施形態においては、第１実施形態と同等のブックレットラベル１０が、図１１に示すように、ブックレット部１２の小口１２ａ側が繰り出し方向Ｂにおける後向きとなるように、セパレータ１３に仮着されている。
【０１１４】
このとき、ブックレットラベル１０が、矢印Ｂで示されるセパレータ１３の送り出し方向と直交する幅方向に対して、前側の端部１０ａの全長となるように接着層１４が配置されるとともに、後側の端部１０ｂの全長となるように接着層１４が配置されて仮着されている。
【０１１５】
したがって、矢印Ｂで示されるセパレータ１３の送り出し方向（繰り出し方向）に対して、剥離板１０７の先端１７１で規定されるセパレータ１３の折り返し線Ｃよりも繰り出し方向前側に突出した部分に接着層１４が位置して、ブックレットラベル１０の繰り出しに先行して商品Ｓに貼り着け可能となるとともに、この貼り着けに際して、折り返し線Ｃよりも繰り出し方向後側に位置した部分に切片１６の糊殺し層１５が位置して、セパレータ１３に対する仮着支持が、貼り着けと同時に維持可能になっている。
【０１１６】
これにより、本実施形態のブックレットラベル１０においては、第１実施形態と同等の効果を奏することができるとともに、商品Ｓおよびセパレータ１３から離間する瞬間がなく、貼り着け工程において支持を持続して、商品Ｓまたはセパレータ１３に対して貼り着けまたは仮着が持続する状態を維持することができる。
【０１１７】
以下、本発明に係るブックレットラベルの第３実施形態を、図面に基づいて説明する。
図１２は、本実施形態におけるブックレットラベルの貼り着け装置の剥離手段を示す拡大模式平面図である。
本実施形態において上述した第１および第２実施形態と異なるのは剥離板１０７の先端１７１に関する点、および、接着層１４と切片１６の糊殺し層１５との配置関係に関する点であり、これ以外の対応する構成要素に関しては、同一の符号を付してその説明を省略する。
【０１１８】
本実施形態のブックレットラベル１０においては、図１２に示すように、ブックレット部１２の小口１２ａが、長尺のセパレータ１３が延在する方向に対して直交する方向ではなく、傾斜した方向に位置するものである。また、接着層１４が、セパレータ１３の延在する方向に対して、ブックレットラベル１０の長さ寸法の中央付近のみに配置されている。このため、セパレータ１３の延在する方向において、糊殺し層１５によって形成された仮着糊殺し領域の切片１６における後瑞１６ｓよりも、この接着層１４の前端１４ｓが後側に位置するように配置されている。
なお、図１２においては、剥離板１０７の下側で折り返され、ブックレットラベル１０が剥離された後のセパレータ１３もその繰り出し方向Ｂとともに図示している。
【０１１９】
つまり、本実施形態においては、第１実施形態のように、セパレータ１３の延在する方向と直交する向きに折り返し線Ｃを形成してそのままブックレットラベル１０を剥離した場合には、切片１６後瑞１６ｓと、接着層１４前端１６ｓとが折り返し線Ｃを跨いで両側位置にある配置とはならなくなってしまう。そのため、この状態では、貼り着け工程中に、ブックレット部１２の小口１２ａが開いてしまう可能性がある。これを防止するために本実施形態では、次の構成を採用した。
【０１２０】
本実施形態においては、図１２に示すように、剥離板１０７の先端１７１が、矢印Ｂで示されるセパレータ１３の繰り出し方向（送り出し方向）と直交する方向に対して、角度を有するように傾斜した直線として設けられている。
【０１２１】
また、剥離板１０７の先端１７１で規定されるセパレータ１３の折り返し線Ｃに対して、接着層１４が商品Ｓに貼り着けられはじめた際に、切片１６の糊殺し層１５のうちセパレータ１３から剥離していない部分が残るようになっている。具体的には、商品Ｓへの貼り着け工程において、折り返し線Ｃよりも繰り出し方向（送り出し方向）Ｂ前側に接着層１４が位置し、かつ、切片１６の糊殺し層１５が折り返し線Ｃよりも繰り出し方向（送り出し方向）Ｂ後側に位置する状態を有するように、これら、折り返し線Ｃ、接着層１４、切片１６の糊殺し層１５の配置が設定されている。
【０１２２】
本実施形態においては、セパレータ１３の延在する方向における糊殺し層１５の切片１６後瑞１６ｓよりも、接着層１４前端１４ｓが後側に位置するように配置されていることに対応して、剥離板１０７の先端１７１が所定角度を持って傾斜して形成されていることにより、折り返し線Ｃの配置を、接着層１４が先に商品Ｓに貼り着けられ、切片１６の糊殺し層１５が後で剥離することを可能な配置を実現するように設定できる。
【０１２３】
これにより、切片１６と接着層１４との配置が異なる状態であっても、第１および第２実施形態を同等の効果を奏することができる。
なお、セパレータ１３の折り返し線Ｃに対する、接着層１４および切片１６の糊殺し層１５の配置は、商品Ｓへの貼り付けと切片Ｓのセパレータ１３による仮着支持とが同時に可能な配置であれば、この構成に限られるものではない。
【０１２４】
以下、本発明に係るブックレットラベルの第４実施形態を、図面に基づいて説明する。
図１３は、本実施形態におけるブックレットラベルの製造装置を示す模式図であり、本実施形態において、上述した第１から第３実施形態と異なるのは、製造方法および製造装置に関する点であり、これ以外の上述した各実施形態と対応する構成には同一の符号を付してその説明を省略する。
【０１２５】
本実施形態の製造方法においては、図１３に示すように、まず、長巻状の原反シート２０（印刷用紙、ラベル用紙）を巻出手段３１より巻き出し送行し、原反シート２０を印刷ユニット３３（通常の印刷インキ、紫外線硬化型印刷インキなど各種インキを用いたグラビア印刷、凹版印刷、オフセット印刷、凸版印刷、スクリーン印刷等の各種印刷方式による印刷ユニット）に導入して、原反シート２０の片面又は両面に適宜にラベル表示用の印刷を施す。
【０１２６】
続いて、図１３に示すように、印刷された原反シート２０をスリット手段３０（圧ロール３０ａ、ロータリースリッタ刃３０ｂ間）に導入して、半分に分割された二条の原反シート２１、２２を形成し、下側のガイドロール３１ａと上側のガイドロール３２ａにて原反シート２１、２２をそれぞれ下側と上側に振り分けて送行させる。
【０１２７】
続いて、下側を送行する印刷された原反シート２１は、ガイドロール３１ａを通過した後に接着剤塗布手段３５に導入され、図７（ａ）に示すように、該原反シート２１片面（上面）の中央領域の原反シート送行方向に沿って接着剤層（綴じ糊）１２ｂを塗布するとともに、その原反シート２１片面（上面）のシート両端に沿って接着剤層２３、２３を塗布する。
【０１２８】
他方、上側を送行する印刷された原反シート２２は、ガイドロール３２ａ（この場合、原反シート２１の送行路と上下に重合するように送行位相を変換させるターンガイドロールを使用）を通過させて、接着剤層（綴じ糊）１２ｂ、接着剤層２３、２３の塗布された前記原反シート２１と重ね合わせながら、貼り合わせロール手段３６に導入されて、図７（ａ）に示すように互いに接着剤層（綴じ糊）１２ｂ、接着剤層２３、２３にて原反シート２１と原反シート２２は貼り合わせられる。
【０１２９】
続いて、貼り合わせられた原反シート２１、２２は、図１３に示すように、スリット手段３７（圧ロール３７ａ、カッターロール３７ｂ間）に導入されて、図７（ａ）に示すように、原反シート２２の幅方向の片側に、その片側端縁より所定幅にて原反シート送行方向に沿ってカッティングライン２５が刻切されて、図７（ａ）に示すように第１貼り合わせシート３８として形成され、該貼り合わせシート３８は、図５に示すように、一旦、巻取手段３９にて長巻状に巻き取られる。
【０１３０】
長巻状に巻き取られた第１貼り合わせシート３８は、その後、図６にて説明した製造工程と同様にして積層シートとして加工されて、本実施形態のブックレットラベル１０が製造される。
【０１３１】
以下、本発明に係るブックレットラベルの第５実施形態を、図面に基づいて説明する。
図１４は、本実施形態におけるブックレットラベルの製造方法を示す工程図であり、本実施形態において、上述した第１から第４実施形態と異なるのは、ブックレット部におけるシートの枚数に関する点であり、これ以外の上述した各実施形態と対応する構成には同一の符号を付してその説明を省略する。
【０１３２】
本実施形態に係るブックレットラベル１０は、図１４（ｄ）に示すように、ブックレット部１２の内側で二つ折りにされたシート１１ｂとシート１１ｃとの間に、さらに二つ折りのシート１１ｆ，１１ｇが設けられている。これらシート１１ｆ，１１ｇは、ブックレット部１２の小口１２ａ側がシート１１ｂ〜１１ｄと同じ平面形状となるように輪郭が設定されている。また二つ折りのシート１１ｆ，１１ｇは、綴じ糊１２ｂに対応する位置に設けられた綴じ糊１２ｆによって、二つ折りのシート１１ｂ，１１ｃの内側に接着された状態とされている。
【０１３３】
本実施形態に係るブックレットラベルの製造方法においては、図５に示すように、まず、長巻状の原反シート２１（印刷用紙、ラベル用紙）を巻出手段３１より巻き出し送行し、それと平行して長巻状の原反シート２２（印刷用紙、ラベル用紙）を巻出手段３２より巻き出し送行し、さらに、それと平行して長巻状の他の原反シート２２（印刷用紙、ラベル用紙、図示せず）を他の巻出手段（図示せず）より巻き出し送行して、原反シート２１を印刷ユニット３３（通常の印刷インキ、紫外線硬化型印刷インキなど各種インキを用いたグラビア印刷、凹版印刷、オフセット印刷、凸版印刷、スクリーン印刷等の各種印刷方式による印刷ユニット）に導入し、巻出手段３２より巻き出した原反シート２２を印刷ユニット３４（上記各種印刷方式と同様の印刷ユニット）に導入して、それぞれ原反シート２１、２２の片面又は両面に、適宜にラベル表示用の印刷を施し、他の巻出手段より巻き出した原反シート２２を、他の印刷ユニット（上記各種印刷方式と同様の印刷ユニット、図示せず）に導入して、それぞれ原反シート２１と、二条の各原反シート２２、２２の片面または両面に、適宜にラベル表示用の印刷を施す。なお、二条の原反シート２２、２２のうち、他の原反シート２２は、予め印刷された状態のシートであってもよい。
【０１３４】
印刷ユニット３３にて印刷された原反シート２１は、ガイドロール３１ａを通過した後、接着剤塗布手段３５に導入され、図７（ａ）に示すように、該原反シート２１片面（上面）の中央領域の原反シート送行方向に沿って接着剤層（綴じ糊）１２ｂを塗布するとともに、その原反シート２１片面（上面）のシート両端に沿って、接着剤層２３、２３を塗布する。
【０１３５】
他方、印刷ユニット３４にて印刷された原反シート２２は、ガイドロール３２ａを通過した後、前記接着剤塗布手段３５と同様の塗布手段（図示せず）に導入され、図７（ａ）に示した原反シート２１片面（上面）と同様に、該原反シート２２片面（上面）の中央領域の原反シート送行方向に沿って接着剤層（綴じ糊）１２ｆを塗布するとともに、図７（ａ）に示した原反シート２１片面（上面）と同様に、その原反シート２２片面（上面）のシート両端に沿って、接着剤層２３、２３を塗布する。
【０１３６】
そして、印刷された他の原反シート２２と、接着剤層（綴じ糊）１２ｆ、接着剤層２３、２３の塗布された原反シート２２を重ね合わせながら、既に貼り合わせてある原反シート２１とともに重ね合わせながら貼り合わせロール手段３６に導入して、図７（ａ）に示した第１実施形態と同様にして、原反シート２１、原反シート２２、他の原反シート２２は、互いに接着剤層１２ｂ、１２ｆ、２３、２３にて貼り合わせられる。
【０１３７】
貼り合わせられた原反シート２１、２２、２２は、続いて、図５に示す第１実施形態と同様に、スリット手段３７（圧ロール３７ａ、カッターロール３７ｂ間）に導入されて、図１４（ａ）に示すように、原反シート２２、２２の幅方向の片側に、その片側端縁より所定幅にて原反シート送行方向に沿ってカッティングライン２５が刻切されて、図７（ａ）に示した第１実施形態と同様にして、第１貼り合わせシート３８として形成され、該原反シート２１、２２、２２の貼り合わされた第１貼り合わせシート３８は、図５に示すように、一旦、巻取手段３９にて長巻状に巻き取られる。
【０１３８】
次に、図６に示した第１実施形態と同様に、長巻状に巻き取られた原反シート２１、２２、２２の貼り合わされた第１貼り合わせシート３８は巻出手段にて巻き出し送行して、スリット手段４０（圧ロール４０ａ、カッターロール４０ｂ間）に導入されて、図７（ａ）に示すように、原反シート２１、２２、２２は、その両側にある接着剤層２３の内側にて、原反シート送行方向に沿ってシート両端縁より所定幅にてスリットされて、シート幅方向の両側にカッティングライン２４、２４が刻切され、図７（ｂ）に示すように両側のカッティングライン２４、２４と片側のカッティングライン２５を形成した貼り合わせシート３８が形成される。
【０１３９】
続いて、カッティングライン２４、２４とカッティングライン２５を形成した貼り合わせシート３８は、図４に示すように剥離ロール４１に導入されて、カッティングライン２４、２４によりカッティングされた原反シート２１、２２、２２の長い所定幅の両端部と、カッティングライン２５によりカッティングされた原反シート２２、２２の短い所定幅の片端部とが剥離巻取手段４２にて巻き取られながら送行し、図１４（ａ）に示すように、原反シート２２、２２に対して原反シート２１の幅方向一端部に延設シート部２１ａを有する第２貼り合わせシート４３として形成される。
【０１４０】
なお、前記両側のカッティングライン２４、２４と片側のカッティングライン２５の刻切は、図５に示すスリット手段３７または図６に示すスリット手段４０のいずれか一方により同時に行うことは可能である。
【０１４１】
続いて、第２貼り合わせシート４３は、図６に示した第１実施形態と同様に、折りロール４４を備えたホールダー手段に導入されて、シート２１、２２、２２の送行方向の中央領域に塗布形成された前記接着剤層（綴じ糊）１２ｂ，１２ｆに沿って折り曲げられ、続いて押圧対向する１対のニップロール４５間に導入され、図１４（ｂ）に示すように原反シート２１、２２、２２は二つ折りされ、前記延設シート部２１ａは、延設部２１ｄと貼着用延設端部２１ｆとなって、長巻状の積層シートとして冊子状のブックレット部１２Ａが形成される。
【０１４２】
二つ折り冊子状に形成されて送行する前記長巻状の冊子状のブックレット部１２Ａは、図６に示した第１実施形態と同様に、ガイドロール３９ａを通過した後、貼り合わせ手段４６に導入される。
【０１４３】
他方、巻出手段５０からは、台紙シート１１ｅ、セパレータ１３、これらを貼り合わせる接着層１４となる原反である長巻状のラベルシート状部１４Ｂが巻き出されて、剥離ロール５０ａ，５０ｂにおいて、図７（ｄ）に示した第１実施形態と同様に、接着層１４の付いた台紙シート１１ｅと、セパレータ１３とに剥離される。
【０１４４】
ラベルシート状部１４Ｂは、ロール５０ｃ，５０ｄによってこれらが離間している状態で、図７（ｄ）に示した第１実施形態と同様に、セパレータ１３の表面に、仮着糊殺し領域に対応するように、糊殺し層１５が塗布形成される。そのた後、図６に示した第１実施形態と同様に、貼り合わせロール５０ｅ，５０ｆによって、接着層１４の付いた台紙シート１１ｅとなる原反と、糊殺し層１５の付いたセパレータ１３となる原反とが、これら接着層１４および糊殺し層１５となる部分によって互いに貼り合わせられ、図７（ｅ）に示した第１実施形態と同様に、長巻状のラベルシート状部１５Ｂとされる。
【０１４５】
送行する台紙シート１１ｅ、接着層１４、糊殺し層１５、セパレータ１３となる原反である長巻状のラベルシート状部１５Ｂの台紙シート１１ｅとなる原反は、カッターロール５０ｇおよび圧ロール５０ｈからなるスリット手段に導入されて、台紙シート１１ｅ、接着層１４、糊殺し層１５となる原反シートには、原反シート送行方向に沿ってシート端縁より切片１６に対応する所定幅となる位置にてスリットされて、シート幅方向の片側に切断線１７が刻切され、図７（ｆ）に示した第１実施形態と同様に、片側の切断線１７を形成したラベルシート状部１６Ｂが形成される。
【０１４６】
送行する切断線１７を形成した台紙シート１１ｅ、接着層１４、糊殺し層１５およびセパレータ１３となる原反である長巻状のラベルシート状部１６Ｂの台紙シート１１ｅ面には、図７（ｇ）に示した第１実施形態と同様に、ブックレット部１２の幅方向両端部位置には、接着剤層（綴じ糊）１２ｂの真下と貼着用延設端部２１ｆの真下に重なる領域に送行方向に沿って接着剤塗布手段５１（接着剤塗布ノズル）にて接着剤が塗布されて接着剤層（綴じ糊）１２ｃおよび閉め糊１２ｄが形成される。なお、閉め糊１２ｄは後工程においてカットされる部分まで形成されていてもよいが、綴じ糊１２ｃは、所定の幅寸法で形成されることが好ましい。
【０１４７】
綴じ糊１２ｃと閉め糊１２ｄとが形成された後に、図６に示した第１実施形態と同様に、長巻状のラベルシート状部１６Ｂは貼り合わせ手段４６に導入されて、図１４（ｃ）に示すように、長巻状の冊子状のブックレット部１２Ａの接着剤層（綴じ糊）１２ｂの真下および貼着用延設端部２１ｆの真下と、長巻状のラベルシート状部１６Ｂの台紙シート１１ｅは、接着剤層（綴じ糊）１２ｃおよび閉め糊１２ｄにより貼り合わされる。なお、長巻状のラベルシート状部１６Ｂの表面（上面）および裏面（下面）にはラベル情報等とされる表示情報や印刷を適宜施すことが可能である。
【０１４８】
続いて、図６に示した第１実施形態と同様に、貼り合わされた長巻状の冊子状のブックレット部１２Ａと長巻状のラベルシート状部１６Ｂは、ロータリーカッター（型抜き）手段４７（圧ロール４７ａ、型抜きロール４７ｂ）に導入されて、長巻状のラベルシート状部１６Ｂの幅方向両側のセパレータ１６を残して、最表面シート１１ａ（あるいは貼着用延設端部２１ｆ）、台紙シート１１ｅ、接着層１４、糊殺し層１５、閉め糊１２ｄを送行方向に沿って型抜きカッティングして、図１４（ｃ）に示すように型抜き線２７、２８を刻切するともに、送行方向と直交する送行幅方向に沿って、長巻状の冊子状のブックレット部１２Ａと、長巻状のラベルシート状部１６Ｂのシート１１ａ〜１１ｇ、綴じ糊１２ｂ、綴じ糊１２ｆ、接着層１４、糊殺し層１５、綴じ糊１２ｃを型抜きカッティングする。
【０１４９】
続いて、図６に示した第１実施形態と同様に、型抜きカッティングされた長巻状の冊子状のブックレット部１２Ａと長巻状のラベルシート状部１６Ｂとを剥離ロール４８に導入して、型抜きカッティングされた余白の長巻状冊子状のブックレット部１２Ａと長巻状ラベルシート状部１６Ｂの余白のシート１１ａ〜１１ｇ、綴じ糊１２ｂ、綴じ糊１２ｆ、接着層１４、糊殺し層１５、綴じ糊１２ｃとを剥離巻取手段４９にて巻き取りながらセバレータ１３から剥離する。
【０１５０】
これにより、型抜きカッティングされた冊子状のブックレット部１２を有するブックレットラベル１０は、長尺状のセパレータ１３上に断続的に等間隔に配列されて接着した状態で、図１４（ｄ）に示すように、冊子状のブックレット部１２が開かないように仮着された状態としてブックレットラベル１０が製造され、長尺状のセパレータ１３とともに巻取手段５２にて巻き取られて、図４に示した第１実施形態と同様に、ロール１０Ａとされる。
【０１５１】
このようにして製造された本実施形態のブックレットラベル１０は、図１４（ｄ）に示すように、第１実施形態よりも多いシート枚数としてブックレット部１２を形成し、表示可能な情報量をさらに増大することが可能となる。
本実施形態では、ブックレット部１２の内側に二つ折りシート１１ｇ，１１ｆを一枚増やしたが、さらに、枚数を増やした構成とすることもできる。
【０１５２】
以下、本発明に係るブックレットラベルの第６実施形態を、図面に基づいて説明する。
図１５は、本実施形態におけるブックレットラベルを示す平面図であり、図１６は、本実施形態におけるブックレットラベルを示す断面図であり、図１７は、本実施形態におけるブックレットラベルの貼り着け状態を示す斜視図であり、本実施形態において、上述した第１実施形態と異なるのは、切断線および切片に関する点であり、これ以外の上述した第１実施形態と対応する構成には同一の符号を付してその説明を省略する。
【０１５３】
本実施形態に係るブックレットラベル１０は、図１５，図１６に示すように、ブックレット部１２の小口１２ａ側には、この小口１２ａの長さ方向両端付近となるように二箇所の切片１６が設けられている。
それぞれの切片１６は、切断線１７によって輪郭を形成されており、平面視していずれも同形状とされ、例えば、円形、長円、楕円、矩形、多角形、とされることができる。本実施形態においては長円形状として図示されている。
切片１６は、ブックレットラベル１０の輪郭には接していない位置に設けられるが、ブックレットラベル１０の輪郭に接した状態に設けられることもできる。
【０１５４】
本実施形態のブックレットラベル１０において、最表面シート１１ａには、図１５，図１６に示すように、延設シート１１ａａが設けられておらず、複数のシート１１ａ〜１１ｅは、小口１２ａ側において、いずれも同一となる輪郭形状を有している。
【０１５５】
切片１６は、図１６に示すように、内側のシート１１ｂ，１１ｃ，１１ｄ、台紙シート１１ｅ、接着層１４、糊殺し層１５における切断線１７の内側の部分と、シート１１ａとシート１１ｂとの閉め糊１２ｐ、シート１１ｂとシート１１ｃとの閉め糊１２ｑ、シート１１ｃとシート１１ｄと閉め糊１２ｒ、シート１１ｄと台紙シート１１ｅとの閉め糊１２ｄとから構成されている。
【０１５６】
閉め糊１２ｄ，１２ｐ、１２ｑ、１２ｒは、切片１６を台紙シート１１ｅに貼り着ける領域、つまり、切断線１７の内側のみに設けられている。
つまり、切片１６周囲の切断線１７は、これらシート１１ｂ，１１ｃ，１１ｄ台紙シート１１ｅ、接着層１４、糊殺し層１５を貫通する貫通孔として形成されている。
【０１５７】
本実施形態に係るブックレットラベル１０は、図１５，図１６に示すように、セパレータ１３に複数仮着された状態で、最表面シート１１ａは、その小口１２ａ側端部が、その両端に位置する閉め糊１２ｄ，１２ｐ、１２ｑ、１２ｒによって切片１６のシート１１ｂ，１１ｃ，１１ｄ、台紙シート１１ｅに順次固定されている。
【０１５８】
切片１６における各シート１１ｂ，１１ｃ，１１ｄ，１１ｅはセパレータ１３に仮着された状態となっているため、ブックレット部１２側の台紙シート１１ｅに対して、最表面シート１１ａがこの台紙シート１１ｅと平行に閉塞された状態を維持する。
【０１５９】
これにより、セパレータ１３に複数仮着された状態では、図１６に示すように、切片１６の外側領域にあるシート１１ｂ，１１ｃ，１１ｄが、いずれも最表面シート１１ａによって台紙シート１１ｅに向けて押さえつけられた状態となる。つまり、内側のシート１１ｂ，１１ｃ，１１ｄのいずれも台紙シート１１ｅと平行に閉塞された状態を維持することになる。したがって、ブックレット部１２の小口１２ａ側が開かないようになっている。
【０１６０】
これに対し、ブックレットラベル１０をセパレータ１３から剥離した場合においては、仮着糊殺し領域である切片１６の糊殺し層１５がセパレータ１３から剥離するため、切片１６はセパレータ１３から離間する。同時に、切断線１７が形成されているために、ブックレット部１２側の各シート１１ｂ，１１ｃ，１１ｄ，１１ｅに対して、この切断線１７内側の切片１６が離間した状態となる。
【０１６１】
これにより、接着層１４が貼り着け可能となっているブックレット部１２側の台紙シート１１ｅに対して、切片１６が固定されていない状態、つまり、自由に動ける状態となる。
この状態で、切片１６に閉め糊１２ｄによって接着されていた最表面シート１１ａの小口１２ａ側端部は、ブックレット部１２側の台紙シート１１ｅに対して、二つ折りにされた折り線から自由に開くことが可能となる。
【０１６２】
本実施形態においては、延設シート１１ａａが設けられておらず、複数のシート１１ａ〜１１ｅの輪郭形状がいずれも同一とされ、最表面シート１１ａも含め小口１２ａが露出する状態となっているため、ブックレット部１２を容易に開くことができるため、ブックレット部１２内部に印刷された表示情報の視認を容易におこなうことが可能となる。
【０１６３】
さらに、本実施形態においては、小口１２ａの長さ方向両端付近となるように二箇所の切片１６を設けたが、より多数の切片１６を設けること、あるいは、小口１２ａの長さ方向に延在する切片１６を一箇所設けることもできる。
また、切片１６の輪郭が小口１２ａ側に接した状態、あるいは、この小口１２ａに接する輪郭に対して接した状態として切片１６を形成することもできる。
【０１６４】
本実施形態に係るブックレットラベル１０は、図１７に示すように、パウチ容器とされる商品Ｓに貼り着けられることができる。
本実施形態の商品（スタンディングパウチ）Ｓとしては、表裏および底部の樹脂フィルムを液状内容物を充填した後にシールして密閉したものとされ、パウチＳを横に寝かせた場合、胴部の外周面形状は、内容物の移動によって、予測できない凹凸を生じることになるものである。
【０１６５】
本実施形態に係るブックレットラベル１０は、接着層１４の面積を設定することにより、このような商品Ｓにも貼り着けて、ブックレット部１２内部に印刷された表示情報の視認を容易におこなうことが可能となる。
【０１６６】
また、セパレータ１３に仮着されている間は、ブックレット部１２が開かないようにできるので、ラベラー（自動貼り着け装置）を用いた際に、シート１１ａ〜１１ｅが開いてしまい、これらシート１１ａ〜１１ｅにしわが発生してしまう、あるいは、折り目がついてしまうことを防止できる。
【０１６７】
なお、本実施形態においれは、セパレータ１３の繰り出し方向Ｂは、長尺のセパレータ１３において、図の上下方向のどちら向きであっても可能である。
【０１６８】
以下、本発明に係るブックレットラベルの第７実施形態を、図面に基づいて説明する。
図１８は、本実施形態におけるブックレットラベルを示す平面図であり、図１９は、本実施形態におけるブックレットラベルの貼り着け状態を示す斜視図であり、本実施形態において、上述した第１実施形態と異なるのは、ブックレットラベルを商品に貼り着ける箇所に関する点であり、これ以外の上述した第１実施形態と対応する構成には同一の符号を付してその説明を省略する。
【０１６９】
本実施形態に係るブックレットラベル１０は、図１８に示すように、ブックレット部１２の小口１２ａと反対側の台紙シート１１ｅがさらに延長されて、幅狭の延長部１１ｅ１とその先の円形部１１ｅ２とを有するものとされる。
【０１７０】
円形部１１ｅ２は、ブックレットラベル１０の小口１２ａ中心位置に対応して配置され、延長部１１ｅ１はこれら円形部１１ｅ２とブックレット部１２とを架橋接続するように設けられている。
延長部１１ｅ１はブックレット部１２の小口１２ａの長さ寸法よりも小さい幅寸法として設定されている。
【０１７１】
また、円形部１１ｅ２には糊殺し層１５が設けられていないが、延長部１１ｅ１には、糊殺し層１５がその全面に形成されている。同様に、ブックレット部１２には、糊殺し層１５がその全面に形成されている。つまり、円形部１１ｅ２と延長部１１ｅ１との境界線１５ａよりブックレット部１２側の台紙シート１１ｅ裏面は、糊殺し層１５で覆われた状態となっている。これにより、矢印Ｂで示されるセパレータ１３の送り出し方向に対して、その全長となるように切片１６の糊殺し層１５が配置されて仮着されているとともに、接着層１４は、円形部１１ｅ２となるＢ方向中央部分のみで直接セパレータ１３に仮着されている。
【０１７２】
本実施形態に係るブックレットラベル１０は、図１９に示すように、ペットボトルなどの飲料等を収納する容器とされる商品Ｓに貼り着けられるものとされ、容器上端のキャップＳ１上面に円形部１１ｅ２を貼り着けるように設定されている。
【０１７３】
円形部１１ｅ２は、図１９に示すように、キャップＳ１の輪郭よりもやや小さい輪郭となる略円形とされており、ブックレットラベル１０を貼り付けた際にキャップＳ１からはみ出しにくいように設定されている。また、延長部１１ｅ１は、図１９に示すように、ブックレットラベル１０を貼り付けた際に、ブックレット部１２が商品Ｓであるボトルの肩部から胴部にかけて垂れ下がった状態となり、ブックレット部１２が傾斜して内部を視認しやすくなる長さを有するように設定されている。
【０１７４】
本実施形態におけるブックレットラベル１０を貼り着ける際には、矢印Ｂで示されるセパレータ１３の送り出し方向に対して、その中央付近の円形部１１ｅ２となる部分のみ露出した接着層１４が配置され、また、送り出し方向Ｂの全長となるように切片１６の糊殺し層１５が配置されて仮着されている。このため、切片１６の糊殺し層１５のほうが、先に、剥離板１０７の先端１７１で規定されるセパレータ１３の折り返し線Ｃよりも繰り出し方向前側に突出して、セパレータ１３から剥離し始めることになる。
【０１７５】
しかし、接着層１４が折り返し線Ｃよりも繰り出し方向前側に突出して商品ＳのキャップＳ１に貼り着け可能となった際に、切片１６の糊殺し層１５の後瑞部分は、まだセパレータ１３に仮着されている。これにより、ブックレットラベル１０においては商品Ｓおよびセパレータ１３から離間する瞬間がなく、貼り着け工程において支持を持続して、商品Ｓまたはセパレータ１３に対して貼り着けまたは仮着が持続する状態を維持することができる。
【０１７６】
しかも、商品ＳのキャップＳ１に貼り着けた後は、ブックレット部１２および延長部１１ｅ１において、接着層１４が露出していないため、これらの部分で、購入者が触っても、手指に接着剤・粘着剤が付くことがない。これにより、商品Ｓに貼り着けた直後から、ブックレット部１２を開いて、内部の表示情報を容易に視認することが可能となる。
【０１７７】
さらに、延長部１１ｅ１およびブックレット部１２の裏面が商品Ｓの肩部や胴部にくっつかず、ブックレット部１２が延長部１１ｅ１によって揺動するようにブックレットラベル１０を貼り着けることができるため、ブックレットラベル１０のアイキャッチ性を向上することもできる。
【０１７８】
以下、本発明に係るブックレットラベルの第８実施形態を、図面に基づいて説明する。
図２０は、本実施形態におけるブックレットラベルを示す平面図であり、本実施形態において、上述した第２および第７実施形態と異なるのは、商品に対するブックレットラベルの取り付け状態に関する点であり、これ以外の上述した第２および第７実施形態と対応する構成には同一の符号を付してその説明を省略する。
【０１７９】
本実施形態に係るブックレットラベル１０は、第７実施形態と同様に、ペットボトルなどとされる飲料等を収納する容器とされる商品Ｓに取り付けるものとされている。また、本実施形態に係るブックレットラベル１０は、図２０に示すように、第２実施形態と同様にブックレット部１２の小口１２ａ側が繰り出し方向Ｂにおける後向きとなるように、セパレータ１３に仮着されている。
【０１８０】
本実施形態において、ブックレットラベル１０は、ブックレット部１２の小口１２ａと反対側の台紙シート１１ｅがさらに延長されて、延長部１１ｅ３と貫通孔１１ｅ４とを有するものとされる。
【０１８１】
延長部１１ｅ３はブックレット部１２の小口１２ａの長さ寸法と等しい幅寸法を有するように設定されており、貫通孔１１ｅ４は、ブックレットラベル１０の小口１２ａ中心位置に対応して配置されている。なお、延長部１１ｅ３は、貫通孔１１ｅ４を設けることができれば、小口１２ａの長さ寸法よりも小さな幅寸法、あるいは、大きな幅寸法を有することもできる。
延長部１１ｅ３はこれら貫通孔１１ｅ４とブックレット部１２とを接続するように設けられている。
【０１８２】
また、本実施形態では、延長部１１ｅ３を含む台紙シート１１ｅ全体に糊殺し層１５が形成されており、接着層１４が露出していない。つまり、ブックレットラベル１０裏面は、糊殺し層１５で覆われた状態となっている。これにより、矢印Ｂで示されるセパレータ１３の送り出し方向に対して、その全長となるように切片１６の糊殺し層１５が配置されてセパレータ１３に仮着されている。
【０１８３】
本実施形態に係るブックレットラベル１０は、ペットボトルなどとされる飲料等を収納する容器である商品Ｓに取り付けるものとされ、容器上端のキャップＳ１を貫通孔１１ｅ４に貫通させて首掛け状態に取り付けるように設定されている。
【０１８４】
貫通孔１１ｅ４は、キャップＳ１の輪郭よりもやや大きい輪郭となる略円形とされており、その周囲に、首掛け時に貫通孔１１ｅ４を拡大するための切り込み１１ｅ５が形成されている。
【０１８５】
また、延長部１１ｅ３のブックレット部１２側には、折れ線１１ｅ６が設けられてブックレットラベル１０を商品Ｓに取り付けた際にブックレット部１２が、商品Ｓであるボトルの肩部から胴部にかけて、垂れ下がった状態となるように設定されている。
【０１８６】
本実施形態におけるブックレットラベル１０を取り付ける際には、セパレータ１３を繰り出し方向Ｂに送り出して、前側の端部１０ａ付近中央位置の貫通孔１１ｅ４となる部分を、剥離板１０７の先端１７１で規定されるセパレータ１３の折り返し線Ｃよりも前側に突出させて、セパレータ１３から剥離させる。この状態で、剥離板１０７の先端１７１を下向きに揺動する動作をさせることで、貫通孔１１ｅ４をペットボトルなどの商品Ｓにおける首部に掛けることができる。
【０１８７】
この剥離板１０７において、商品Ｓの首部に掛けるための揺動は、例えば折り返し線Ｃが折れ線１１ｅ６付近の位置となったときに動作させることができる。このとき、折り返し線Ｃよりも繰り出し方向Ｂ後側に位置する仮着糊殺し領域である糊殺し層１５によってブックレットラベル１０がセパレータ１３に仮着された状態となっている。
このため、商品Ｓの首部に掛ける動作は、ブックレットラベル１０がセパレータ１３に充分保持されてブックレット部１２が開かない状態としておこなうことができる。
【０１８８】
さらに、セパレータ１３を送り出して、折り返し線Ｃが後瑞１０ｂ側に近づいた状態となると、セパレータ１３から切片１６の糊殺し層１５が剥離して、これにより、ブックレット部１２が開ける状態で首掛けの完了した商品（ペットボトル）Ｓを搬送することができる。
【０１８９】
本実施形態においては、ブックレット部１２が開かない状態で、ブックレットラベルを商品Ｓに取り付け（首掛け）するとともに、首掛けの完了と同時に、ブックレット部１２が開ける状態とすることができる。
【０１９０】
これにより、ブックレットラベル１０においては商品Ｓおよびセパレータ１３から離間する瞬間がなく、取り付け工程においてブックレットラベル１０の支持を持続することができる。
【０１９１】
以下、本発明に係るブックレットラベルの第９実施形態を、図面に基づいて説明する。
図２１は、本実施形態におけるブックレットラベルを示す断面図であり、本実施形態において、上述した第１実施形態と異なるのは、台紙シートを設けない点であり、これ以外の上述した第７実施形態と対応する構成には同一の符号を付してその説明を省略する。
【０１９２】
本実施形態に係るブックレットラベル１０は、第１実施形態と同様に、略矩形のラベル輪郭を有するものとされている。
本実施形態に係るブックレットラベル１０は、図２１に示すように、第１実施形態における台紙シート１１ｅ、綴じ糊１２ｃが設けられておらず、裏面シートとなるシート１１ｄに直接接着層１４が形成されてセパレータ１３と仮着されている。また、第１実施形態における閉め糊１２ｄが設けられておらず、延設シート１１ａａには、接着層１４と糊殺し層１５とが積層されてセパレータ１３と仮着されている。
【０１９３】
ブックレット部１２側の接着層１４は、セパレータ１３の折り返し線Ｃと平行な方向の全長に設けられ、また、ブックレット部１２の裏面の綴じ部側にあればよいが、本実施形態ではその半分程度の幅寸法とされる。
【０１９４】
延設シート１１ａａ側の接着層１４および糊殺し層１５は、延設シート１１ａａ裏面のうち、セパレータ１３の折り返し線Ｃと平行な方向の全長に設けられ、また、他のシート１１ｂ，１１ｃに接しない領域に設けられる。
【０１９５】
本実施形態に係るブックレットラベル１０の製造方法としては、第１実施形態における長巻状の積層シートである冊子状のブックレット部１２Ａの裏面に接着層１４を形成するとともに、糊殺し層１５を形成した長尺のセパレータ１３と貼り合わせ、これをラベル輪郭に打ち抜くことで製造される。
【０１９６】
本実施形態に係るブックレットラベル１０は、第１実施形態と異なり、切断線１７による切片１６が形成されていないが、セパレータ１３に仮着されている間はブックレット部１２が開かないとともに、セパレータ１３から剥離すると、ブックレット部１２が開くように構成することができる。
【０１９７】
なお、本発明においては、各実施形態におけるそれぞれの構成を適宜組み合わせたものとすることもできる。
また、商品Sとしては、スタンディングパウチ、ペットボトルの他、缶容器、ガラス瓶、調味料、化粧品、医薬品などの容器等を採用することができる。
【符号の説明】
【０１９８】
１０…ブックレットラベル
１０Ａ…ロール
１１ａ…最表面シート（シート）
１１ａａ…延設シート
１１ｂ，１１ｃ，１１ｄ…シート
１１ｅ…台紙シート（裏面シート）
１２…ブックレット部
１２ａ…小口
１２ｂ，１２ｃ…綴じ糊
１２ｄ，１２ｐ，１２ｑ，１２ｒ…閉め糊
１３…セパレータ
１４…接着層
１５…糊殺し層
１６…切片
１７…切断線
１００…製造装置
１０７…剥離板（剥離手段）
１７１…先端
Ｃ…折り返し線
Ｓ…商品
【図１】
2019109309.tif 000003
【図２】
2019109309.tif 000004
【図３】
2019109309.tif 000005
【図４】
2019109309.tif 000006
【図５】
2019109309.tif 000007
【図６】
2019109309.tif 000008
【図７】
2019109309.tif 000009
【図８】
2019109309.tif 000010
【図９】
2019109309.tif 000011
【図１０】
2019109309.tif 000012
【図１１】
2019109309.tif 000013
【図１２】
2019109309.tif 000014
【図１３】
2019109309.tif 000015
【図１４】
2019109309.tif 000016
【図１５】
2019109309.tif 000017
【図１６】
2019109309.tif 000018
【図１７】
2019109309.tif 000019
【図１８】
2019109309.tif 000020
【図１９】
2019109309.tif 000021
【図２０】
2019109309.tif 000022
【図２１】
2019109309.tif 000023